(57)【要約】【課題】被加熱部材を効率よく加熱するとともに被加熱部材を効率よく殺菌できるようにする。【解決手段】被加熱部材の一面と接するように配置され、被加熱部材に対して殺菌効果を発揮させる波長の光を発する面状の発光フィルム３０と、受電コイル３１と、受電コイル３１に接続されるとともに発光フィルム３０の被加熱部材側の面に形成された線状の配線パターン３３０を有し、該配線パターン３３０に電流が流れる際に生じる熱で被加熱部材を加熱する加熱体３３と、を備える。線状の配線パターン３３０により、発光フィルム３０が発する光を効率よく被加熱部材に到達させることができ、被加熱部材を効率よく加熱するとともに被加熱部材を効率よく殺菌することができる。【選択図】図１
2019129125.tif 000002
【特許請求の範囲】
【請求項１】
被加熱部材（４０）と、
前記被加熱部材の一面と接するように配置され、前記被加熱部材に対して殺菌効果を発揮させる波長の光を発する面状の発光部材（３０）と、
受電コイル（３１）と、
前記受電コイルに接続されるとともに前記発光部材に形成された線状の配線パターン（３３０）を有し、該配線パターンに電流が流れる際に生じる熱で前記被加熱部材を加熱する加熱体（３３）と、
前記受電コイルとの磁界結合によって前記受電コイルに電力を供給する送電コイル（２４）と、
前記送電コイルを交流駆動する駆動部（２２）と、を備えた加熱装置。
【請求項２】
前記発光部材は、紫外線および可視光線の少なくとも一方の波長の光を発するものである請求項１に記載の加熱装置。
【請求項３】
前記被加熱部材には、前記発光部材が発する光が照射されることにより殺菌効果を発揮する光触媒が付加されている請求項１または２に記載の加熱装置。
【請求項４】
前記受電コイルは、前記発光部材の前記被加熱部材側の面と反対側の面に配置されている請求項１ないし３のいずれか１つに記載の加熱装置。
【請求項５】
前記発光部材の前記被加熱部材側の面と反対側の面には、前記発光部材が発する光を反射する反射パターン（３６）が形成されている請求項１ないし４のいずれか１つに記載の加熱装置。
【請求項６】
前記発光部材は、前記殺菌効果を発揮させる波長の光を発する発光素子（３４）と、前記発光素子が発する前記光を面方向に拡散させる導光板（３７）と、を有し、
前記発光部材の前記被加熱部材側の面と反対側の面には、前記発光素子と前記受電コイルの間を接続するための接続パターン（３５）が形成されている請求項１ないし５のいずれか１つに記載の加熱装置。
【請求項７】
前記被加熱部材は、前記殺菌効果を発揮させる波長の光が透過しやすいメッシュ構造となっている請求項１ないし６のいずれか１つに記載の加熱装置。
【請求項８】
前記被加熱部材には、前記発光部材により発せられる光が照射されることにより抗菌効果、殺菌効果、防臭効果等を示す光触媒を塗布した表面処理加工が施されている請求項１ないし７のいずれか１つに記載の加熱装置。
【請求項９】
前記被加熱部材は、履物の内部に配置される中敷きである請求項１ないし８のいずれか１つに記載の加熱装置。
【発明の詳細な説明】
【技術分野】
【０００１】
本発明は、加熱装置に関するものである。
【背景技術】
【０００２】
従来、特許文献１に記載されたヘアードライヤーがある。このヘアードライヤーは、乾燥風を発生させるためのヒータおよびファンを有している。また、このヘアードライヤーは、ファンのファンブレードに光触媒が形成されており、この光触媒に紫外線を照射することで、乾燥風に含まれるマイクロダストや有機物などを殺菌したり分解したりする。
【先行技術文献】
【特許文献】
【０００３】
【特許文献１】特開２００６−２０４３２１号公報
【発明の概要】
【発明が解決しようとする課題】
【０００４】
上記特許文献１に記載されたヘアードライヤーの技術を、例えば、車両の乗員の靴の中敷きを加熱するヒータを有する加熱装置に適用して、中敷きを加熱するとともに中敷きの抗菌および防臭等を行うことが考えられる。
【０００５】
具体的には、車両の床面等に設置された送電コイルと、乗員の靴の内部に配置された中敷きと、受電コイルと、この受電コイルに接続されたヒータ層と、光を照射する発光部材を備えた加熱装置を構成する。そして、送電コイルを交流駆動して磁界結合によって受電コイルに電力を供給することにより、ヒータ層により中敷きを加熱するとともに、発光部材の光を中敷きに向けて照射し、中敷きの殺菌、抗菌および防臭等の効果を得られるようにすることが考えられる。
【０００６】
このように、加熱する対象と光を照射する対象が中敷きになっている場合、光を遮蔽することなくヒータ層の熱を中敷きに伝達させるのが困難となってしまう。例えば、発光部材と中敷きの間にヒータ層を配置すると、ヒータ層によって発光部材の光が遮蔽され中敷きに光を効率よく照射することができなくなってしまう。また、ヒータ層と中敷きの間に発光部材を配置すると、発光部材により加熱体から中敷きへの熱の伝達が妨げられ中敷きを効率よく加熱することができなくなるといった問題がある。
【０００７】
本発明は上記問題に鑑みたもので、被加熱部材を効率よく加熱するとともに被加熱部材を効率よく殺菌できるようにすることを目的とする。
【課題を解決するための手段】
【０００８】
上記目的を達成するため、請求項１に記載の発明は、被加熱部材（４０）と、被加熱部材の一面と接するように配置され、被加熱部材に対して殺菌効果を発揮させる波長の光を発する面状の発光部材（３０）と、受電コイル（３１）と、受電コイルに接続されるとともに発光部材に形成された線状の配線パターン（３３０）を有し、該配線パターンに電流が流れる際に生じる熱で被加熱部材を加熱する加熱体（３３）と、受電コイルとの磁界結合によって受電コイルに電力を供給する送電コイル（２４）と、送電コイルを交流駆動する駆動部（２２）と、を備えている。
【０００９】
このような構成によれば、加熱体は、発光部材に形成された線状の配線パターン（３３０）を有しているので、発光部材が発する光を効率よく被加熱部材に到達させることができ、被加熱部材を効率よく加熱するとともに被加熱部材を効率よく殺菌することができる。
【００１０】
なお、この欄および特許請求の範囲で記載した各手段の括弧内の符号は、後述する実施形態に記載の具体的手段との対応関係を示すものである。
【図面の簡単な説明】
【００１１】
【図１】第１実施形態の加熱装置の全体構成を表した図である。
【図２】発光フィルムに配置された受電コイル、共振回路および加熱体の回路図である。
【図３】発光フィルムのみのもの、発光フィルムの発光面側に配線パターンを付加したもの、発光フィルムの発光面側にヒータを付加したものの照度の実測値を表した図である。
【図４】照度を測定した際の条件を示した図である。
【図５】照度を測定した際の発光フィルムの構成を表した図である。
【図６】第２実施形態に係る加熱装置の発光フィルムに形成された反射パターンの様子を表した図である。
【図７】第３実施形態に係る加熱装置の発光フィルムに配置された受電コイルとＬＥＤの様子を表した図である。
【図８】第３実施形態に係る加熱装置の回路構成を表した図である。
【図９】加熱装置の変形例について示した図である。
【図１０】加熱装置の共振回路の変形例について示した図である。
【図１１】加熱装置の共振回路の変形例について示した図である。
【発明を実施するための形態】
【００１２】
以下、本発明の実施形態について図に基づいて説明する。なお、以下の各実施形態相互において、互いに同一もしくは均等である部分には、図中、同一符号を付してある。
【００１３】
（第１実施形態）
第１実施形態に係る加熱装置の構成について図１〜図２を用いて説明する。本加熱装置は、電源２０、制御回路２１、操作部２１０、交流駆動回路２２、送電コイル２４、発光フィルム３０、受電コイル３１、共振回路３２、加熱体３３および中敷き４０を備えている。
【００１４】
本加熱装置は、送電コイル２４と受電コイル３１との電界結合によって、非接触で送電コイル２４から受電コイル３１に電力を供給し、受電コイル３１に接続された加熱体３３の熱で靴の中敷き４０を加熱する。さらに、本加熱装置は、殺菌効果を発揮させる波長の光を発光する面状の発光フィルム３０を有し、発光フィルム３０の光を中敷き４０に照射して中敷き４０の殺菌、抗菌、防臭等も行う。なお、中敷き４０は、被加熱部材に相当し、発光フィルム３０は、発光部材に相当する。
【００１５】
電源２０、制御回路２１、交流駆動回路２２および送電コイル２４は、車両の床に配置されている。操作部２１０は、車両のインストルメントパネルの周囲等に配置されている。また、受電コイル３１、共振回路３２、加熱体３３および中敷き４０は、靴の内部に配置されている。
【００１６】
交流駆動回路２２には、電源２０が接続されている。電源２０は、車両に搭載されたバッテリにより構成されており、例えば、４０ボルトの直流電圧を出力する。
【００１７】
交流駆動回路２２は、図示しないインバータを有し、インバータにより電源２０から供給される直流電力から所定周波数の交流電力を生成し、この交流電力を送電コイル２４に供給する。なお、交流駆動回路２２は、送電コイル２４とともに共振回路を形成する不図示のコンデンサを有している。交流駆動回路２２は、駆動部に相当する。
【００１８】
送電コイル２４は、車両の床面に配置されている。送電コイル２４は、銅よりなるコイル線を渦巻き状にした銅巻線により構成されている。送電コイル２４は、交流駆動回路２２から出力される交流電力に応じた交流電流が流れることにより、図１に示すような磁界変化Ｍ１を生じさせる。
【００１９】
制御回路２１は、ＣＰＵ、メモリ、Ｉ／Ｏ等を備えたコンピュータとして構成されており、ＣＰＵはメモリに記憶されたプログラムに従って各種処理を実施する。制御回路２１には、操作部２１０が接続されている。操作部２１０は、乗員の操作に応じた信号を制御回路２１に出力する。
【００２０】
乗員の靴の内部には、面状の発光フィルム３０および面状の中敷き４０が設けられている。本実施形態の発光フィルム３０は、中敷き４０に対して殺菌効果を発揮させる波長の光を発光する。具体的には、発光フィルム３０は、紫外線および可視光線の少なくとも一方の波長の光を発する。発光フィルム３０は、２つの端子（図示せず）を有し、各端子間に所定の電圧が印加されると発光する。具体的には、発光フィルム３０は、基板、電極、絶縁層および発光部（いずれも図示せず）を有し、一面側から可視光を発光する。本実施形態の発光フィルム３０は、無機ＥＬ（Ｅｌｅｃｔｒｏ  Ｌｕｍｉｎｅｓｃｅｎｃｅ）により構成されている。
【００２１】
発光フィルム３０は、中敷き４０の一面と接するように配置されている。なお、図１では、発光フィルム３０と中敷き４０とが離れて配置した様子が示されているが、実際には、発光フィルム３０は、中敷き４０の一面に貼り合わせられている。発光フィルム３０は、中敷き４０に可視光を照射する。発光フィルム３０には、受電コイル３１、共振回路３２および加熱体３３が配置されている。
【００２２】
受電コイル３１は、発光フィルム３０の中敷き４０側の面と反対面に配置されている。具体的には、受電コイル３１は、発光フィルム３０の中敷き４０側の面と反対面に印刷により形成されている。
【００２３】
本実施形態の加熱体３３は、受電コイル３１に接続されるとともに発光フィルム３０の被加熱部材４０側の面に形成された線状の配線パターン３３０を有し、該配線パターン３３０に電流が流れる際に生じる熱で中敷き４０を加熱する。配線パターン３３０は、発光フィルム３０に印刷可能な金属を用いて構成されており、高い導電性を有している。配線パターン３３０は、発光フィルム３０の中敷き４０側の面に蛇行するように印刷されており、中敷き４０の裏面と接触している。配線パターン３３０は、その一端から他端まで、幅狭の線状を成している。
【００２４】
共振回路３２は、不図示のコンデンサを有し、送電コイル２４が所定周波数の交流電力で駆動されたときに受電コイル３１との間で共振を生じさせる。
【００２５】
図２は、発光フィルム３０に配置された受電コイル３１、共振回路３２および加熱体３３の回路図である。なお、発光フィルム３０は、省略してある。図２に示すように、受電コイル３１、共振回路３２および加熱体３３が接続されている。また、図２中には示してないが、加熱体３３と直列に発光フィルム３０の発光部が接続されている。
【００２６】
本実施形態の中敷き４０は、殺菌効果を発揮させる波長の光が内部まで透過しやすいメッシュ構造となっている。中敷き４０には、光照射されることにより抗菌効果、殺菌効果、防臭効果等を示す光触媒を塗布した表面処理加工が施されている。光触媒としては、例えば、酸化チタンを用いることができる。
【００２７】
次に、加熱装置の作動について説明する。
【００２８】
乗員の操作部２１０に対する操作により、操作部２１０から制御回路２１に作動の開始を示す信号が入力されると、制御回路２１は、交流駆動回路２２に交流電力の出力を指示する信号を出力する。
【００２９】
この信号に応じて交流駆動回路２２から送電コイル２４にに所定周波数の交流電力が出力される。そして、送電コイル２４には、所定周波数の交流電力に応じた交流電流が流れ、送電コイル２４から所定周波数の交流電流に応じた電磁波が放射される。
【００３０】
なお、本加熱装置は、送電コイル２４から周波数の交流電流に応じた電磁波が放射される際に、送電コイル２４側と受電コイル３１の共振周波数を一致させて電力送信する。
【００３１】
このようにして、送電コイル２４から電磁波が放射されると、送電コイル２４と受電コイル３１の内部を通る磁束が形成され、送電コイル２４と受電コイル３１が結合し、電力が送電コイル２４と受電コイル３１の間の空間を伝わる。
【００３２】
この際、受電コイル３１と共振回路３２との間で共振が生じ、受電コイル３１、加熱体３３および発光フィルム３０の発光部には、比較的大きな所定周波数の交流電流が流れる。これにより、加熱体３３は大きな発熱量で発熱して中敷き４０を加熱する。また、発光フィルム３０が発する光は、線状の配線パターン３３０の間を通って中敷き４０に到達する。そして、発光フィルム３０が発する光により、中敷き４０は殺菌、抗菌、防臭される。
【００３３】
図３は、図５（ａ）に示すように発光フィルム３０のみのもの、図５（ｂ）に示すように発光フィルム３０の発光面側に配線パターン３３０を付加したもの、図５（ｃ）に示すように発光フィルム３０の発光面側に板状のヒータ３４０を付加したものの照度の実測値を表した図である。
【００３４】
発光フィルム３０の発光面側に形成された配線パターン３３０は、線幅が狭くなっており、その隙間を光が透過する。また、発光フィルム３０の発光面側に形成された板状のヒータ３４０は、僅かに光が透過する。図４に示すように、発光フィルム３０から５センチメートル離れた場所に照度計５０を設置して照度の計測を行った。
【００３５】
発光フィルム３０のみの場合は、６００ルクス程度、発光フィルム３０に銅線パターンを付加した場合は、４００ルクス程度、発光フィルムにＦＰＣフィルムを付加した場合は、２００ルクス程度となった。発光フィルム３０の発光面側に配線パターン３３０を付加したものは、発光フィルム３０のみのものよりも若干照度は低くなるが、良好な照度を得ることが確認できた。これに対し、発光フィルム３０の発光面側にＦＰＣフィルムを付加したものは、発光フィルム３０の発光面側に配線パターン３３０を付加したものと比較して、照度が大きく低下している。
【００３６】
このように、本実施形態のように、発光フィルム３０の発光面側に配線パターン３３０を付加したものは、良好な照度を確保することができることが確認できた。
【００３７】
以上、説明したように、加熱装置は、被加熱部材４０と、被加熱部材４０の一面と接するように配置され、被加熱部材４０に対して殺菌効果を発揮させる波長の光を発する面状の発光フィルム３０と、を備えている。また、受電コイル３１と、受電コイル３１に接続されるとともに発光フィルム３０に形成された線状の配線パターン３３０を有し、該配線パターン３３０に電流が流れる際に生じる熱で被加熱部材４０を加熱する加熱体３３を備えている。また、受電コイル３１との磁界結合によって受電コイル３１に電力を供給する送電コイル２４と、送電コイル２４を交流駆動する交流駆動回路２２と、を備えている。
【００３８】
このような構成によれば、加熱体３３は、発光フィルム３０に形成された線状の配線パターン３３０を有しているので、発光フィルム３０が発する光を効率よく被加熱部材４０に到達させることができ、被加熱部材４０を効率よく加熱するとともに被加熱部材４０を効率よく殺菌することができる。
【００３９】
また、発光フィルム３０は、紫外線および可視光線の少なくとも一方の波長の光を発するものとすることができる。
【００４０】
また、中敷き４０には、発光フィルム３０が発する光が照射されることにより殺菌効果を発揮する光触媒が付加されている。したがって、中敷き４０に光触媒が付加されていないものと比較して、より大きな殺菌効果を得ることができる。
【００４１】
また、本実施形態では、受電コイル３１が、発光フィルム３０の被加熱部材４０側の面と反対側の面に配置されているので、発光フィルム３０の被加熱部材４０側の面に受電コイル３１を配置した場合と比較して、送電コイル２４から受電コイル３１の距離を短くすることができ、送電コイル２４から受電コイル３１への電力供給を効率よく行うことができる。
【００４２】
また、本実施形態の中敷き４０は、殺菌効果を発揮させる波長の光が透過しやすいメッシュ構造となっている。したがって、中敷き４０の内部の方まで殺菌することが可能である。
【００４３】
また、上記したように、被加熱部材４０を履物の中敷きとすることで、中敷きの加熱と中敷きの殺菌を行うことができる。
【００４４】
（第２実施形態）
第２実施形態に係る加熱装置について図６を用いて説明する。上記第１実施形態の加熱装置は、一面側から光を発する発光フィルム３０を採用しているが、本実施形態の加熱装置は、両面から光を発する両面発光型の発光フィルム３０を発光部材として採用している。本実施形態の発光フィルム３０は、光透過性を有している。
【００４５】
発光フィルム３０の靴底側の面、すなわち、中敷き４０側と反対側の面に、ドット状の反射パターン３６が形成されている。なお、本実施形態の反射パターン３６は、印刷により形成されている。
【００４６】
発光フィルム３０から該発光フィルム３０の靴底側に照射された光の一部は、ドット状の反射パターン３６に反射して中敷き４０側に導かれるため、ドット状の反射パターン３６がない場合と比較して、中敷き４０に照射できる光の量を多くすることができる。
【００４７】
また、発光フィルム３０から該発光フィルム３０の靴底側に照射された光の一部は、ドット状の反射パターン３６の間を通り抜けて靴の中底に照射されるので、この光により靴の中底を殺菌することもできる。
【００４８】
また、発光フィルム３０の中敷き４０側と反対側の面に、ドット状の反射パターン３６が形成されているので、受電コイル３１と反射パターン３６を同時行程で形成することができる。
【００４９】
上記したように、本実施形態の加熱装置は、発光フィルム３０の中敷き４０側の面と反対側の面に、発光フィルム３０が発する光を反射する反射パターン３６が形成されている。したがって、発光フィルム３０の中敷き４０側の面と反対側の面から発せられる光を反射パターン３６で反射させて発光フィルム３０の中敷き４０側の面に到達させることが可能である。
【００５０】
（第３実施形態）
第３実施形態に係る加熱装置について図７〜図８を用いて説明する。図７は、本実施形態の加熱装置の発光フィルム３０の部分拡大図である。発光フィルム３０は、殺菌効果を発揮させる波長の光を発する複数のＬＥＤ３４と、複数のＬＥＤ３４が発する光を面方向に拡散させる導光板３７と、を有している。なお、複数のＬＥＤ３４は、発光素子に相当する。
【００５１】
複数のＬＥＤ３４および受電コイル３１は、導光板３７の靴底側の面に配置されている。また、複数のＬＥＤ３４の間は、図示しないパターンによって接続されている。
【００５２】
また、導光板３７の靴底側の面には、複数のＬＥＤ３４と受電コイル３１の間を接続するための接続パターン３５が形成されている。
【００５３】
なお、複数のＬＥＤ３４には、接続パターン３５を介して受電コイル３１から電力が供給される。
【００５４】
図８に示すように、受電コイル３１には、共振回路３２を介して複数のＬＥＤ３４と加熱体３３が接続されている。
【００５５】
受電コイル３１から共振回路３２を介して複数のＬＥＤ３４に電力が供給されると、複数のＬＥＤ３４はそれぞれ発光する。導光板３７の端面に複数のＬＥＤ３４から発せられた光が導入されると、この光は導光板３７で拡散され導光板３７は面発光する。そして、この光により中敷き４０が殺菌される。
【００５６】
上記したように、発光フィルム３０は、殺菌効果を発揮させる波長の光を発する複数のＬＥＤ３４と、複数のＬＥＤ３４が発する光を面方向に拡散させる導光板３７と、を有している。そして、発光フィルム３０の中敷き４０側の面と反対側の面には、複数のＬＥＤ３４と受電コイル３１の間を接続するための接続パターン３５が形成されている。
【００５７】
したがって、発光素子と受電コイルの間を接続するための接続パターンと、受電コイル３１と、を同時行程で形成することが可能である。
【００５８】
（他の実施形態）
（１）上記各実施形態では、電源２０、制御回路２１、交流駆動回路２２および送電コイル２４を車両の床に配置した例を示したが、家屋の床等に配置してもよい。
【００５９】
（２）上記第１実施形態では、発光部材として無機ＥＬを用いたが、例えば、ＬＥＤ、有機ＥＬ等、無機ＥＬ以外の発光部材を用いることができる。また、発光部材が照射する光は、紫外線等、可視光以外の波長の光とすることもできる。
【００６０】
（３）上記各第１実施形態では、発光フィルム３０の中敷き４０側の面に線状の配線パターン３３０を形成した例を示したが、発光フィルム３０の中敷き４０側と反対側の面に線状の配線パターン３３０を形成してもよい。
【００６１】
（４）上記各実施形態では、中敷き４０を被加熱部材とし、受電コイル３１、共振回路３２、加熱体３３および中敷き４０を靴の内部に配置する例を示したが、被加熱部材を靴以外のものに適用することもできる。
【００６２】
（５）上記各実施形態では、発光フィルム３０の中敷き４０側の面と反対面に受電コイル３１を印刷するようにしたが、発光フィルム３０の中敷き４０側の面に受電コイル３１を印刷してもよい。また、印刷以外の手法で受電コイル３１を発光フィルム３０に配置するようにしてもよい。
【００６３】
（６）上記各実施形態では、発光フィルム３０の中敷き４０側の面に配線パターン３３０を印刷するようにしたが、発光フィルム３０の中敷き４０側の面と反対面に配線パターン３３０を印刷してもよい。また、印刷以外の手法で配線パターン３３０を発光フィルム３０に配置するようにしてもよい。
【００６４】
（７）上記各実施形態では、被加熱部材としての中敷き４０に、光照射されることにより抗菌効果、殺菌効果、防臭効果等を示す光触媒を塗布した表面処理加工を施したが、必ずしも被加熱部材に光触媒を塗布しなくてもよい。被加熱部材に光触媒を塗布しなくても殺菌効果を発揮させる波長の光を照射することで、ある程度、抗菌効果、殺菌効果、防臭効果等を得ることが可能である。
【００６５】
（８）上記第３実施形態では、図８に示したように、共振回路３２と加熱体３３の間に発光素子としてのＬＥＤ３４を配置したが、図９に示すように、受電コイル３１と共振回路３２の間にＬＥＤ３４を配置してもよい。
【００６６】
（９）上記各実施形態では、共振回路３２の詳細を示してないが、例えば、図１０〜図１１に示すように、共振回路３２をコンデンサにより構成することもできる。
【００６７】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００６８】
（まとめ）
上記各実施形態の一部または全部で示された第１の観点によれば、被加熱部材と、被加熱部材の一面と接するように配置され、被加熱部材に対して殺菌効果を発揮させる波長の光を発する面状の発光部材と、を備えている。また、受電コイルと、受電コイルに接続されるとともに発光部材の被加熱部材側の面に形成された線状の配線パターンを有し、該配線パターンに電流が流れる際に生じる熱で被加熱部材を加熱する加熱体と、を備えている。
さらに、受電コイルとの磁界結合によって受電コイルに電力を供給する送電コイルと、送電コイルを交流駆動する駆動部と、を備えている。
【００６９】
また、第２の観点によれば、発光部材は、紫外線および可視光線の少なくとも一方の波長の光を発するものである。このように、発光部材は、紫外線および可視光線の少なくとも一方の波長の光を発するものにより構成することができる。
【００７０】
また、第３の観点によれば、被加熱部材には、発光部材が発する光が照射されることにより殺菌効果を発揮する光触媒が付加されている。したがって、被加熱部材に光触媒が付加されていないものと比較して、より大きな殺菌効果を得ることができる。
【００７１】
また、第４の観点によれば、受電コイルは、発光部材の被加熱部材側の面と反対側の面に配置されている。したがって、発光部材の被加熱部材側の面に受電コイルを配置した場合と比較して、送電コイルから受電コイルの距離を短くすることができ、送電コイルから受電コイルへの電力供給を効率よく行うことができる。
【００７２】
また、第５の観点によれば、発光部材の被加熱部材側の面と反対側の面には、発光部材が発する光を反射する反射パターンが形成されている。したがって、発光部材の被加熱部材側の面と反対側の面から発せられる光を反射パターンで反射させて発光部材の被加熱部材側の面に到達させることが可能である。さらに、例えば、発光部材の被加熱部材側の面と反対側の面に受電コイルが形成される場合、受電コイルと反射パターンを同時行程で形成することが可能である。
【００７３】
また、第６の観点によれば、発光部材は、殺菌効果を発揮させる波長の光を発する発光素子と、発光素子が発する光を面方向に拡散させる導光板と、を有している。そして、発光部材の被加熱部材側の面と反対側の面には、発光素子と受電コイルの間を接続するための接続パターンが形成されている。
【００７４】
したがって、例えば、発光部材の被加熱部材側の面と反対側の面に受電コイルが形成される場合、発光素子と受電コイルの間を接続するための接続パターンと接続パターンを同時行程で形成することが可能である。
【００７５】
また、第７の観点によれば、被加熱部材は、殺菌効果を発揮させる波長の光が透過しやすいメッシュ構造となっている。したがって、被加熱部材の内部の方まで殺菌することが可能である。
【００７６】
また、第８の観点によれば、被加熱部材には、発光部材により発せられる光が照射されることにより抗菌効果、殺菌効果、防臭効果等を示す光触媒を塗布した表面処理加工が施されている。したがって、被加熱部材に光触媒を塗布した表面処理加工が施されていないものと比較して、より高い殺菌効果を得ることができる。
【００７７】
また、第９の観点によれば、被加熱部材は、履物の内部に配置される中敷きである。このように、被加熱部材を履物の中敷きとすることで、中敷きの加熱と中敷きの殺菌を行うことができる。
【符号の説明】
【００７８】
２１    制御回路
２２    交流駆動回路
２４    送電コイル
３０    発光フィルム
３１    受電コイル
３２    共振回路
３３    加熱体
３３０  配線パターン
４０    中敷き
【図１】
2019129125.tif 000003
【図２】
2019129125.tif 000004
【図３】
2019129125.tif 000005
【図４】
2019129125.tif 000006
【図５】
2019129125.tif 000007
【図６】
2019129125.tif 000008
【図７】
2019129125.tif 000009
【図８】
2019129125.tif 000010
【図９】
2019129125.tif 000011
【図１０】
2019129125.tif 000012
【図１１】
2019129125.tif 000013